(57)【要約】【課題】集合住宅のベランダ等、建築物の開放された張出し部へ、居住性に違和感を与えず、長期間腐食、破損、管理の必要がなく、低コストで容易に架設できる鳥類飛来防止ネットを提供する。【解決手段】一対の支柱１間に複数本のテグス４を張り渡し、この支柱１の脚部２を筒軸６で支持するようにすると共に、この筒軸６に連接した平板状の台座５をテラス等に接着固定するようにした。また前記支柱の脚部２及び台座の筒軸６を三角柱状とした。また前記筒軸６と平板台座５とをステンレスで一体に形成し、その連結部７を折り曲げ可能とした。前記支柱１を先細りな釣竿状のグラスファイバーで形成した。【選択図】図１
0003116029.tif 000002
【実用新案登録請求の範囲】
【請求項１】
一対の支柱（１）間に複数本のテグス（４）を張り渡した鳥類飛来防止ネットであって、この支柱（１）の脚部（２）を筒軸（６）で支持するようにすると共に、この筒軸（６）に連接した平板状の台座（５）をテラス等に接着固定するようにした鳥類飛来防止ネット。
【請求項２】
前記支柱（１）の脚部（２）及び台座（５）の筒軸（６）を三角柱状とした請求項１記載の鳥類飛来防止ネット。
【請求項３】
前記筒軸（６）と台座（５）とをステンレスで一体に形成し、その連結部（７）を折り曲げ可能とした請求項１、２記載の鳥類飛来防止ネット。
【請求項４】
前記支柱（１）を先細りな釣竿状のグラスファイバーで形成した請求項１記載の鳥類飛来防止ネット。
【請求項５】
支柱（１）間に張り渡した最下端のテグス（４）に短冊（８）を吊り下げるようにした請求項１記載の鳥類飛来防止ネット。
【考案の詳細な説明】
【技術分野】
【０００１】
本考案は、集合住宅のベランダ等に支柱を立ててテグスを張り渡す鳥類飛来防止ネットに関するものである。
【背景技術】
【０００２】
従来、集合住宅のベランダ等、建築物の開放された張出し部への鳥類の飛来を防止するために、レールを設置して防鳥用ネットをスライド開閉自在としたもの、防鳥用ネットを支持する支柱を伸縮式としたもの、ベランダの開口部を棚状ネットで塞ぐものなどが下記の特許文献に開示されている。
【特許文献１】特開平０４−９４６３２号
【特許文献２】特開２００１−５７８３９号
【特許文献３】特開２００１−２２７０５７号
【考案の開示】
【考案が解決しようとする課題】
【０００３】
かかる建築物の開放された張出し部に鳥類飛来防止ネットを設置する場合、簡易な構造で容易に設置できること、また通風、視界、住居の美観等に影響を及ぼさないこと、低コストであること、架設後に管理の労力を必要としないこと、さらに風雨などによる腐食、破損等のおそれがなく長年月の使用に耐えること、取付け、取外しが簡単にできてベランダの手すり等の使用に支障がないこと等が必要である。かかる要件を満足する鳥類飛来防止ネットを提供することを目的とする。
【課題を解決するための手段】
【０００４】
本考案の鳥類飛来防止ネットは、請求項１記載のように、一対の支柱１間に複数本のテグス４を張り渡した鳥類飛来防止ネットであって、この支柱１の脚部２を筒軸６で支持するようにすると共に、この筒軸６に連接した平板状の台座５をテラス等に接着固定するようにした。また請求項２記載のように、前記支柱の脚部２及び台座の筒軸６を三角柱状とした。また請求項３記載のように、前記筒軸６と台座５とをステンレスで一体に形成し、その連結部７を折り曲げ可能とした。
【０００５】
また請求項４記載のように、前記支柱１を先細りな釣竿状のグラスファイバーで形成した。さらに請求項５記載のように、支柱１間に張り渡した最下端のテグス４に短冊８を吊り下げるようにしたこと等を特徴としている。
【考案の効果】
【０００６】
本考案の鳥類飛来防止ネットは、支柱の脚部及び台座の筒軸を三角柱状としたのでテグスを支柱に巻き付けて嵌め込むと支柱が固定され撚りが戻らず、簡単に張りの調整をすることができる。また張り渡したネットの支柱が弛むのも防ぐことができる。この筒軸に連接した平板状の台座をテラス等に接着固定するようにしたのでテラスなどの適宜な位置へ簡単に支柱を立てることが出来る。
【０００７】
また前記筒軸と平板台座とをステンレスで一体に形成し、その連結部を折り曲げ可能としたテラスの張り出し角度に合わせて支柱の角度を設定することが出来る。また前記支柱を先細りな釣竿状のグラスファイバーで形成したので風雨などによる腐食、破損の恐れが無く長期間の使用に耐えることができ、取付け・取外しが容易であり、軽量なので手すり等に負担がかかることが無い。ポリエステルからなる短冊を吊り下げるようにしたのできらきら光り鳥類が警戒して寄り付かないなどの効果を有する。
【考案を実施するための最良の形態】
【０００８】
本考案の鳥類飛来防止ネットは、一対の支柱間に複数本のテグスを張り渡したものであって、この支柱の脚部を筒軸で支持するようにすると共に、この筒軸に連接した平板状の台座をテラス等に接着固定するようにした。また前記支柱の脚部及び台座の筒軸を三角柱状とした。また前記筒軸と平板台座とをステンレスで一体に形成し、その連結部を折り曲げ可能とした。また前記支柱を先細りな釣竿状のグラスファイバーで形成した。
【実施例１】
【０００９】
以下、添付図面に従って実施例を説明する。図１、図２に示すように本考案、鳥類飛来防止装置に用いるネットを張設する支柱１は、長さ９０ｃｍ〜１ｍのグラスファイバーなど弾性と剛性を備えた炭素繊維からなり、上端が直径２ｍｍ〜３ｍｍ、下端が直径５ｍｍ〜７ｍｍの先細りな釣竿のような形態をしており、支柱１の下端に三角柱状の脚部２を設けてある。また支柱１には、１０ｃｍ〜１５ｃｍの等間隔で複数箇所にテグス４を結ぶテグス取付け部３を設けてあり、対設した支柱１間に市販の径０．３〜０．４ｍｍのテグス４を平行に複数本張り渡してテグスネットを構成するようにする。
【００１０】
前記支柱の脚部２に嵌合する筒軸６を備えた台座５は、図３のように厚さ４〜５ｍｍのステンレス板の平坦面を台座５とし、その一方側の端部中央に三角筒状の筒軸６を立設したものである。すなわちこの筒軸６は図４の展開図に示すように厚さ４〜５ｍｍのステンレス板の一部を平坦な台座５部分として、その一側中央をやや残して連結部７となし、残り部分を三角筒状の筒軸６となるように点線部分で折り曲げて形成したものである。
【００１１】
ベランダにこの鳥害飛来防止ネットを張設する場合は、ベランダの手すり等の両端に台座５の裏面に接着剤を塗布して手すりに接着固定する。そしてグラスファイバー製の支柱１の支脚２を台座５の筒軸６に嵌めこみ、その際、連結部７を折り曲げて筒軸６が内側、すなわち台座５側に傾くようにする。そして複数本のテグス４をテグス取付け部３に掛け平行に張り渡す。また図５に示したとおり、テグスネットの下端数ヶ所には、横１〜２ｃｍ、縦５〜７ｃｍの日光に反射するポリエステル粘着テープからなる短冊８を貼付する。これによって遠方からでもきらきら光るので鳥は警戒して近づかず更に鳥類飛来防止の効果が期待できる。
【図面の簡単な説明】
【００１２】
【図１】本考案、鳥類飛来防止ネットの正面図である。
【図２】テグスを張設する支柱の斜視図である。
【図３】支柱を支持する台座の斜視図である。
【図４】台座の展開図である。
【図５】テグスネットを手すり等に架設した斜視図である。
【符号の説明】
【００１３】
１  支柱
２  支柱の脚部
３  テグス取付け部
４  テグス
５  台座
６  筒軸
７  連結部
８  短冊
【図１】
0003116029.tif 000003
【図２】
0003116029.tif 000004
【図３】
0003116029.tif 000005
【図４】
0003116029.tif 000006
【図５】
0003116029.tif 000007